(57)【要約】      （修正有）【課題】屋外の高い所に取り付けられた時、下に傾斜して明るさを向上させることができるＬＥＤブラケット、ＬＥＤ素子及びＬＥＤ表示パネルを提供する。【解決手段】金属ブラケット１と、金属ブラケットを覆い、リフレクタ２１を有するリフレクタカバー２とを備えるＬＥＤブラケットであって、リフレクタの開口２１１に背向する側が斜面構造であり、リフレクタカバーは、対向設置される第１側面２２及び第２側面２３を有し、第１側面が第２側面よりも高く、金属ブラケットは、リフレクタカバーから露出した金属ピン１１、１２を備え、金属ピンは第１側面及び／又は第２側面に設置される。リフレクタカバーの底部を斜面にすることで、ＬＥＤブラケットを所定位置に取り付けた後に、開口を傾斜状態にすることができ、ＬＥＤチップからの発光を所定方向に沿って導出できる。【選択図】図２
0003219344.tif 000002
【実用新案登録請求の範囲】
【請求項１】
金属ブラケットと、該金属ブラケットを覆い、リフレクタを有するリフレクタカバーとを備えるＬＥＤブラケットであって、前記リフレクタカバーの前記リフレクタの開口に背向する側が斜面構造であり、前記リフレクタカバーは、対向設置される第１側面及び第２側面を有し、前記第１側面の高さが前記第２側面の高さよりも高く、前記金属ブラケットは、前記リフレクタカバーから露出した金属ピンを含み、前記金属ピンが第１側面及び／又は第２側面に設置される、ことを特徴とするＬＥＤブラケット。
【請求項２】
前記リフレクタカバーの前記リフレクタの開口に背向する側が前記リフレクタカバーの底部であり、前記第１側面に、前記金属ピンが導出される第１導出位置が設置され、前記第１導出位置と前記リフレクタカバーの底部との間の垂直距離がｈ１であり、
前記第２側面に、前記金属ピンが導出される第２導出位置が設置され、前記第２導出位置と前記リフレクタカバーの底部との間の垂直距離がｈ２であり、
ｈ１≧ｈ２である、ことを特徴とする請求項１に記載のＬＥＤブラケット。
【請求項３】
前記リフレクタカバーの前記リフレクタの開口に背向する側が前記リフレクタカバーの底部であり、前記第１側面に、前記金属ピンが導出される第１導出位置が設置され、前記第１導出位置と前記リフレクタカバーの底部との間の垂直距離がｈ１であり、
前記第２側面に、前記金属ピンが導出される第２導出位置が設置され、前記第２導出位置と前記リフレクタカバーの底部との間の垂直距離がｈ２であり、
ｈ１＜ｈ２である、ことを特徴とする請求項１に記載のＬＥＤブラケット。
【請求項４】
前記金属ブラケットは、４つの金属ピンを備え、４つの前記金属ピンは、何れも前記第２側面に設置される、ことを特徴とする請求項１に記載のＬＥＤブラケット。
【請求項５】
前記金属ブラケットは、少なくとも６つの前記金属ピンを備え、少なくとも６つの前記金属ピンは、前記第１側面及び前記第２側面に分け与えられる、ことを特徴とする請求項１に記載のＬＥＤブラケット。
【請求項６】
前記第２側面に、前記リフレクタカバーの取付安定性を向上するための支持部が設置される、ことを特徴とする請求項１から５のいずれか１項に記載のＬＥＤブラケット。
【請求項７】
前記支持部は、支持面を有し、前記支持面と前記リフレクタカバーの前記開口に背向する側とが同一の平面に位置される、ことを特徴とする請求項６に記載のＬＥＤブラケット。
【請求項８】
前記支持部が三角形の支持プレートである、ことを特徴とする請求項７に記載のＬＥＤブラケット。
【請求項９】
前記第２側面に、間隔をあけて少なくとも２つの前記支持部が設置され、隣接する２つの前記支持部の間に少なくとも１つの前記金属ピンが設置される、ことを特徴とする請求項６に記載のＬＥＤブラケット。
【請求項１０】
ＬＥＤブラケット、ＬＥＤチップ及び封入剤を備えるＬＥＤ素子であって、前記ＬＥＤブラケットは、請求項１から９のいずれか１項に記載のＬＥＤブラケットを採用し、前記ＬＥＤチップは、前記ＬＥＤブラケットにおけるリフレクタの中空キャビティに固定され、前記封入剤は、前記中空キャビティに充填される、ことを特徴とするＬＥＤ素子。
【請求項１１】
ＰＣＢ基板と、前記ＰＣＢ基板に取り付けられた複数のＬＥＤ素子とを備えるＬＥＤ表
示パネルであって、前記ＬＥＤ素子が請求項１０に記載のＬＥＤ素子である、ことを特徴とするＬＥＤ表示パネル。
【考案の詳細な説明】
【技術分野】
【０００１】
本考案は、ＬＥＤ技術分野に関し、特にＬＥＤブラケット、ＬＥＤ素子及びＬＥＤ表示パネルに関する。
【背景技術】
【０００２】
ＬＥＤ表示パネルは、情報配信のツールとして、文字、画面、ビデオなど、各種の情報を配信できる。ＬＥＤ表示パネルに、ＬＥＤブラケット、ＬＥＤチップ及び封入剤を備える複数のＬＥＤ素子が配列され、ＬＥＤチップがＬＥＤブラケットにおけるリフレクタの中空キャビティに固定され、封入剤が中空キャビティに充填される。現在、ＬＥＤ表示パネルは、屋外で設置する際に高い所に取り付けられる場合が多いため、見上げる必要がある。しかし、従来のＬＥＤ素子におけるＬＥＤチップは、発光端面（即ち、ＬＥＤチップの最大光強度方向を法平面とする）とピンの溶接平面が互いに平行したり（夾角が０°であると見なす）、互いに垂直（即ち、夾角が９０°である）したりし、発光端面の法平面が一般的に水平設置される。見上げる時に、法平面の上の光線は、未利用状態にあり、且つ仰視角が大きければ、感じる明るさが弱くなる。
【考案の概要】
【考案が解決しようとする課題】
【０００３】
本考案の実施例は、上記の課題を解决するためのＬＥＤブラケットを提供する。
【課題を解決するための手段】
【０００４】
第１態様において、本考案の実施例は、金属ブラケットと、該金属ブラケットを覆い、リフレクタを有するリフレクタカバーとを備えるＬＥＤブラケットであって、前記リフレクタカバーの前記リフレクタの開口に背向する側が斜面構造であり、前記リフレクタカバーは、対向設置される第１側面及び第２側面を有し、前記第１側面の高さが前記第２側面の高さよりも高く、前記金属ブラケットは、前記リフレクタカバーから露出した金属ピンを備え、前記金属ピンが第１側面及び／又は第２側面に設置される、ことを特徴とするＬＥＤブラケットを提供する。  
【０００５】
リフレクタカバーのリフレクタの開口に背向する側を斜面構造にし、即ち、リフレクタカバーの底部を斜面にすることで、このＬＥＤブラケットを所定位置に取り付けた後に、リフレクタの開口を傾斜状態にすることができ、ひいてはリフレクタにおけるＬＥＤチップから発せられる光を所定方向に沿って導出することができる。このＬＥＤブラケットを備えた表示パネルが屋外の高い所に取り付けられると、ＬＥＤブラケットは、下に傾斜して表示パネルの感じる明るさを向上させることができる。金属ピンを高さが異なる第１側面及び／又は第２側面に設置することによって、ＬＥＤブラケット全体の取付及び固定を容易にし、取付難度を低下させ、取付速度を向上させ、且つＬＥＤブラケットの取付後の安定性を向上させることができる。
【０００６】
本考案の可能な実施形態において、前記リフレクタカバーの前記リフレクタの開口に背向する側が前記リフレクタカバーの底部であり、前記第１側面に前記金属ピンが導出される第１導出位置が設置され、前記第１導出位置と前記リフレクタカバーの底部との間の垂直距離がｈ１であり、
前記第２側面に前記金属ピンが導出される第２導出位置が設置され、前記第２導出位置と前記リフレクタカバーの底部との間の垂直距離がｈ２である。
ただし、ｈ１≧ｈ２、或いはｈ１＜ｈ２である。
【０００７】
本考案の可能な実施形態において、前記金属ブラケットは、４つの金属ピンを備え、４つの前記金属ピンは、何れも前記第２側面に設置される。
【０００８】
本考案の可能な実施形態において、前記金属ブラケットは、少なくとも６つの前記金属ピンを備え、少なくとも６つの前記金属ピンは、前記第１側面及び前記第２側面に分け与えられる。
【０００９】
本考案の可能な実施形態において、前記第２側面に、前記リフレクタカバーの取付安定性を向上するための支持部が設置される。
【００１０】
本考案の可能な実施形態において、前記支持部は、支持面を有し、前記支持面と前記リフレクタカバーの前記開口に背向する側とが同一の平面に位置される。
【００１１】
本考案の可能な実施形態において、前記支持部は三角形の支持プレートである。
【００１２】
本考案の可能な実施形態において、前記第２側面に、間隔をあけて少なくとも２つの前記支持部が設置され、隣接する２つの前記支持部の間に少なくとも１つの前記金属ピンが設置される。
【００１３】
第２態様において、本考案の実施例は、上記いずれかの可能な実施形態に記載のＬＥＤブラケットと、前記ＬＥＤブラケットにおけるリフレクタの中空キャビティに固定されるＬＥＤチップと、前記中空キャビティに充填される封入剤と、を備えるＬＥＤ素子を更に提供する。
【００１４】
第３態様において、本考案の実施例は、ＰＣＢ基板と、前記ＰＣＢ基板に取り付けられた複数のＬＥＤ素子とを備えるＬＥＤ表示パネルであって、前記ＬＥＤ素子が第２態様の実施例に記載のＬＥＤ素子である、ＬＥＤ表示パネルを更に提供する。
【図面の簡単な説明】
【００１５】
本考案の実施例又は従来技術の手段を更に明確に説明するために、以下、実施例又は従来技術の説明において使用する必要がある図面を簡単に紹介する。以下の説明に係る図面は、本考案のいくつかの実施例又は従来技術の概略模式図にすぎず、当業者として、創造的な労働を行うことなく、これらの図面に基づいて他の図面を取得できることは明らかである。
【００１６】
【図１】本考案の一実施例に係るＬＥＤブラケットの構造模式図である。
【図２】本考案の一実施例に係るＬＥＤブラケットの取付状態の模式図である。
【図３】本考案の一実施例に係るＬＥＤ素子の構造模式図である。
【図４】本考案の他の実施例に係るＬＥＤブラケットの構造模式図である。
【図５】本考案の他の実施例に係るＬＥＤブラケットの取付状態の模式図である。
【図６】本考案の別の実施例に係るＬＥＤブラケットの構造模式図である。
【図７】本考案の別の実施例に係るＬＥＤブラケットの取付状態の模式図である。
【考案を実施するための形態】
【００１７】
以下、本考案の実施例に係る図面を参照しながら、本考案の実施例の手段を明確かつ完全に説明する。説明する実施例は、本考案の一部の実施例にすぎず、全ての実施例ではないことは明らかである。本考案の実施例に基づき、当業者は、創造的な労働を行うことなく取得した他の実施例は、いずれも本考案の保護範囲に属する。
【００１８】
本考案の実施例の説明において、特に明示的な規定および限定がない限り、「繋がる」、
「接続」、「固定」という用語は、広義に理解されるべきである。例えば、固定接続であってもよく、着脱可能な接続であってもよく、又は一体になったものであってもよい。また、機械的接続であってもよく、電気的接続であってもよい。また、直接に接続してもよく、中間媒体を介して間接的に接続してもよい。２つの要素の内部接続又は２つの要素の相互作用であってもよい。当業者にとって、本考案の実施例における上記用語の具体的な意味を場合によって理解できる。
【００１９】
本考案の実施例において、特に明示的な規定および限定がない限り、第１特徴は第２特徴の「上」又は「下」にあることは、第１特徴と第２特徴とは直接に接触することを含んでもよいが、第１特徴と第２特徴とは直接に接触せず、これらの間の他の特徴によって接触することも含んでもよい。更に、第１特徴は第２特徴の「上」、「上方」及び「上面」にあることは、第１特徴は第２特徴の直上及び斜上方にあることを含み、又は第１特徴の水平高さは第２特徴より高いことのみを示す。第１特徴は第２特徴の「下」、「下方」及び「下面」にあることは、第１特徴は第２特徴の直下又は斜下方にあることを含み、又は第１特徴の水平高さは第２特徴より小さいことのみを示す。
【００２０】
図１は、本考案の一実施例のＬＥＤブラケットの構造模式図であり、図２は、本考案の一実施例のＬＥＤブラケットの取付状態の模式図である。図１及び図２を参照しながら、本考案の実施例に係るＬＥＤブラケットは、金属ブラケット１及び該金属ブラケット１を覆うリフレクタカバー２を備え、金属ブラケット１は、前記リフレクタカバー２に嵌入される金属ピン１１及び前記リフレクタカバー２から露出される金属ピン１２を備え、前記リフレクタカバー２は、中空キャビティを有するリフレクタ２１を備え、前記リフレクタカバー２の前記リフレクタ２１の開口２１１に背向する側が前記リフレクタカバー２の底部であり、前記リフレクタカバー２の底部が斜面構造であり、即ち、リフレクタカバー２の底部が斜面である。
【００２１】
リフレクタカバー２のリフレクタ２１の開口２１１に背向する側を斜面構造にし、即ち、リフレクタカバー２の底部を斜面にすることで、このＬＥＤブラケットを所定位置に取り付けた後に、リフレクタ２１の開口２１１を傾斜状態にすることができ、ひいてはリフレクタ２１におけるＬＥＤチップから発せられる光を所定方向に沿って導出することができる。このＬＥＤブラケットを備えた表示パネルが屋外の高い所に取り付けられると、ＬＥＤブラケットは、下に傾斜して表示パネルの感じる明るさを向上させることができる。
【００２２】
また、露出した金属ピン１２は、リフレクタカバー２の側面から導出されてリフレクタカバー２の底部まで折り曲げられる。金属ピン１２とリフレクタカバー２との密着性を向上させるために、リフレクタカバー２の底部に収容溝が凹設され、金属ピン１２の端部がこの収容溝内まで延伸される。
【００２３】
本実施例において、リフレクタカバー２は、エンジニア樹脂を採用して一体射出成形される。ポリフタルアミド樹脂（ＰＰＡ）、ポリメチルメタクリレート（ＰＭＭＡ）、ポリアミド（ＰＡ）、ポリカーボネート（ＰＣ）、ポリオキシメチレン（ＰＯＭ）及びポリブチレンテレフタレート（ＰＢＴ）のうちの何れか１種を採用してもよい。吸光度が小さくてコストが低い白色のポリフタルアミド樹脂（ＰＰＡ）を採用することが好ましい。
【００２４】
好ましくは、前記リフレクタ２１の外側面の一部に光吸収層が更に設置されてもよい。前記光吸収層は、前記リフレクタ２１の外側面の上部から前記リフレクタ２１の外側面に近接する底部位置へ延設するように構成される。他の実施例においても、前記リフレクタ２１の上部の端面に光吸収層が設置される。前記光吸収層は、黒色のインク層又は黒色のワニス層である。
【００２５】
リフレクタ２１の開口２１１は、方形、円形、楕円形或いは不規則的な模様に構成されてもよい。また、ＬＥＤブラケットは、さまざまの変形がある。例えば、ＬＥＤブラケットのリフレクタカバー２の横断面は、正方形、平行四辺形、正六角形又は正三角形等の形状であってもよい。
【００２６】
本実施例において、図１に示すように、リフレクタカバー２の断面が四角形である。リフレクタカバー２の底部及び上部の所在平面の夾角はαである（ただし、０°＜α＜９０°）。好ましくは、夾角αが１５°である。リフレクタ２１の開口２１１の所在平面とリフレクタカバー２の上部とは同一の面である。
【００２７】
ＬＥＤブラケットの製造プロセスでは、パッドの形状を形成するように、銅帯又は鉄帯等の金属帯材を打ち抜き、その表面に金属又は合金材料を電気メッキし、電気メッキした後にＰＰＡ材料を金属帯材（即ち、金属ブラケット）に射出し、リフレクタカバー２を形成させ、射出後に金属帯材をリフレクタカバー周りに屈曲し、金属ピン１２を形成する。
【００２８】
本考案の好ましい実施例において、図１及び図２に示すように、前記リフレクタカバー２は、対向設置された第１側面２２１及び第２側面２２２を有し、前記第１側面２２１の高さが前記第２側面２２２の高さよりも高く、前記金属ピン１２が前記第２側面２２２に設置される。
【００２９】
露出した金属ピン１２を比較的低い第２側面２２２に設置することで、パッケージ段階において比較的低い側面における金属ピン１２を覆えばよい、封入剤の厚さを効果的に低下させ、封入剤の使用量を低下させ、マスクを取り付ける後続工程を円滑に行うことも確保する。
【００３０】
本実施例において、リフレクタカバー２から露出する金属ピン１２が４つあり、４つの金属ピン１２は間隔をあけて配列され、隣接する金属ピン１２の間に間隔を有し、この間隔は、プローブによる側面からの検出に便利である。
【００３１】
なお、傾斜したＬＥＤブラケットの取付中の安定性を向上させるために、第２側面２２２に２つの支持部３が設置され、支持部３が三角形の支持プレートであり、三角形の支持プレートの一辺と、リフレクタカバー２の底部の所在平面とは、同一の平面にあり、この辺に隣接する一辺は、前記第２側面２２２に接続され、４つの金属ピン１２は、何れも２つの支持部３の間に位置される。
【００３２】
支持部３の数は２つに限定せず、３つ以上設置してもよいことは当然である。即ち、隣接する２つの支持部３の間に１つの金属ピン１２を設置してもよいが、２つ以上の金属ピン１２を設置してもよい。図３に示すように、第２側面２２２に、間隔をあけて５つの支持部３を設置し、隣接する２つの支持部３の間に１つの金属ピン２２を設置し、５つの支持部３は、何れもリフレクタカバー２の底部と同一平面に位置される支持面３１を有する。なお、支持部３の構造は、三角形に限らず、１つの面によって支持される構造を形成できれば、台形または逆Ｔ状に構成されてもよい。
【００３３】
本考案の別の好ましい実施例において、図４及び図５に示すように、前記第１側面２２１および前記第２側面２２２に、それぞれ前記金属ピン１２が設置される。具体的に、前記第１側面２２１に、前記金属ピン１２が導出される第１導出位置が設置され、前記第１導出位置と前記リフレクタカバー２の底部との間の垂直距離がｈ１であり、前記第２側面２２２に、前記金属ピン１２が導出される第２導出位置が設置され、前記第２導出位置と前記リフレクタカバー２の底部との間の垂直距離がｈ２である（ただし、ｈ１＞ｈ２）。本実施例における金属ピン１２は、伝統的な折曲構造を採用し、即ち、金属ピン１２がリ
フレクタカバー２内の折曲高さと一致する。このような構成は、ＬＥＤブラケットの製造難度を低下させ、実施は簡単で高速であり、生産効率を効果的に向上させることができる。
【００３４】
更に、図６及び図７に示すように、前記第１導出位置と前記リフレクタカバー２の底部との間の垂直距離ｈ１は、前記第２導出位置と前記リフレクタカバー２の底部との間の垂直距離ｈ２に等しくするよう、即ち、金属ピン１２のリフレクタカバー２の側面から導出される位置が同じであるようにしてもよい。この構造で、金属ピン１２のがリフレクタカバー２内の折曲高さが一致でなく、比較的高い第１側面２２１に位置される金属ピン１２のリフレクタカバー２内の折曲高さは高く、比較的低い第２側面２２２に位置される金属ピン１２のリフレクタカバー２内の折曲高さは低く、伝統的なピンの折曲高さが一致する構造を突破し、封入剤の厚さが根本的に低下した。
【００３５】
他の実施例において、比較的高い側面の金属ピン１２の導出位置は、比較的低い側面の金属ピン１２の導出位置よりも小さくしてもよい。具体的に、前記第１導出位置と前記リフレクタカバー２の底部との間の垂直距離ｈ１は、前記第２導出位置と前記リフレクタカバー２の底部との間の垂直距離ｈ２よりも小さい（すなわち、ｈ１＜ｈ２）。この構成も、伝統的な構造を突破し、封入剤の厚さを低下できるだけではなく、ＬＥＤブラケットの高い安定性を満足しながら、封入剤の厚さを極薄にすることができる。
【００３６】
以上、金属ピン１２をそれぞれ２つの側面から導出し、ＬＥＤブラケットの体積を低下させながら、より多い金属ブラケット１を設置するという構成を実現する。同時に、金属ピン１２を高さが異なる第１側面２２及び／又は第２側面２３に設置することで、ＬＥＤブラケット全体の取付及び固定を容易にし、取付難度を低下させ、取付速度を向上させ、且つＬＥＤブラケット取付後の安定性を向上させることができる。
【００３７】
更に、リフレクタカバー２から６つの金属ピン１２が露出してもよい。６つの前記金属ピン１２は、第１側面２２１及び第２側面２２２に分け与えられる。分け与える際に、６つの金属ピン１２は、２つの側面に均等に配置されてもよいが、不均等（即ち、一側面に設置された金属ピン１２の数が多く、別側面に設置された金属ピン１２の数が少ない）に配置されなくてもよい。ＬＥＤブラケットに６つ以上の金属ピン１２が設置されると、ＬＥＤブラケット及びＬＥＤチップを組み立た後に陰極共通及び陽極共通を実現し、加工難度を低下させ、且つＬＥＤ素子の正負極を逆に取り付けることを回避できる。
【００３８】
本実施例において、リフレクタカバー２に覆われた金属ブラケット１は、共に６つの金属ピン１２を有し、第１側面２２１及び第２側面２２２に、それぞれ間隔をあけて３つの前記金属ピン１２が設置される。
【００３９】
他の実施例において、全ての金属ピン１２がリフレクタカバー２の底部から導出される。具体的に、前記金属ピン１２の導出位置は、前記リフレクタカバー２の前記開口２１１に背向する側に位置され、即ち前記リフレクタカバー２の底部に位置される。リフレクタカバー２の底部から金属ピン１２を直接に導出すると、封入剤の厚さを最小限に抑え、パッケージの材料消費を低減することができる。
【００４０】
本考案の実施例は、ＬＥＤ素子を更に提供する。図３に示すように、ＬＥＤ素子は、ＬＥＤブラケット、ＬＥＤチップ４及び封入剤を備え、前記ＬＥＤブラケットは、上記いずれかの実施例に係るＬＥＤブラケットを採用し、前記ＬＥＤチップ４が前記ＬＥＤブラケットにおけるリフレクタ２１の中空キャビティに固定され、前記封入剤が前記中空キャビティに充填される。
【００４１】
ただし、前記ＬＥＤチップ４は、紫外線チップ、ブルーチップ、緑色光チップ又は赤色光チップのうちの１種又は３種であり、好ましくは、赤、緑、青の３つのチップの組合せである。
【００４２】
ただし、前記封入剤がエポキシ樹脂又はシリコーンであり、光損失を低下させることができる。
【００４３】
前記ＬＥＤ素子が、単色素子、２色素子、フルカラー素子又は白色素子である。前記ＬＥＤ素子が白光を発したＬＥＤ素子であると、前記ＬＥＤチップ４がブルーチップであり、前記封入剤に黄色蛍光粉が混合される。前記ＬＥＤ素子が単色のＬＥＤ素子であると、前記ＬＥＤチップ４は、何れかの色も表現できる。例えば、前記ＬＥＤチップ４が赤色光ＬＥＤチップ、橙色ＬＥＤチップ、黄色ＬＥＤチップ、緑色光ＬＥＤチップ又はブルーＬＥＤチップのうちの何れか１種であり、ＬＥＤチップ４の色は本実施例に限定せず、前記封入剤が透明な封入剤である。前記ＬＥＤ素子が２色素子であると、前記ＬＥＤチップ４が前述各発光色のＬＥＤチップ４のうちの何れか２色の混合であり、前記封入剤が透明な封入剤である。前記ＬＥＤ素子がフルカラー素子であると、前記ＬＥＤチップ４が赤色光ＬＥＤチップ、緑色光ＬＥＤチップ及びブルーＬＥＤチップの混合であり、前記封入剤が透明な封入剤である。
【００４４】
ＬＥＤ素子の製造では、ＬＥＤチップ４をＬＥＤブラケットのダイアタッチパッドに固定し、その後、ボンディングワイヤをそれぞれＬＥＤチップ４及びボンディングワイヤパッドに溶接し、最後に封入剤を充填し、硬化後に切出を行う。他の実施例において、ＬＥＤチップ４がフリップチップ実装方式でＬＥＤブラケットに取り付けられると、ボンディングワイヤを設置する必要はない。
【００４５】
本考案の実施例は、複数のＬＥＤ素子及びＰＣＢ基板を備え、複数の前記ＬＥＤ素子が前記ＰＣＢ基板に取り付けられ、前記ＬＥＤ素子が上記いずれかの実施例に記載のＬＥＤ素子である、ＬＥＤ表示パネルを更に提供する。
【００４６】
具体的に取り付ける時に、ＬＥＤブラケットのリフレクタカバー２の底部がＰＣＢ基板に接触し、リフレクタ２１の光軸が下傾し、光軸の水平面に対する下傾角がリフレクタカバー２の底部の傾斜角度αに等しい。リフレクタ２１の光軸は下傾すると、見上げるときに感じる明るさが基準を満足し、感じる明るさの角度範囲を向上させることができる。
【００４７】
本明細書の説明において、「一実施例」、「例」という参照用語等の説明は、該実施例又は例を参照しながら説明した具体的な特徴、構造、材料或いは特点が本考案の少なくとも一実施例又は例に含まれることを意味する。本明細書において、上記の用語に対する概略的記述は、必ず同じの実施例又は例を指すわけではない。そして、説明する具体的な特徴、構造、材料或いは特点は、何れか１つ又は複数の実施例又は例において、適切な方法で組み合わせることができる。
【００４８】
以上、具体的な実施例を参照しながら、本考案の技術的原理を説明した。これらの説明は、本考案の原理を解釈するものにすぎず、本考案の保護範囲を制限するものではない。ここでの解釈に基つき、当業者は、創造的な労働せず想像できる本考案の他の具体的な実施形態は、何れも本考案の保護範囲に入る。
【符号の説明】
【００４９】
１      金属ブラケット
１１    金属ピン 
１２    金属ピン
２      リフレクタカバー
２１    リフレクタ
２１１  開口
２２    第１側面
２３    第２側面
３      支持部
３１    支持面
４      ＬＥＤチップ 
【図１】
0003219344.tif 000003
【図２】
0003219344.tif 000004
【図３】
0003219344.tif 000005
【図４】
0003219344.tif 000006
【図５】
0003219344.tif 000007
【図６】
0003219344.tif 000008
【図７】
0003219344.tif 000009